(57)【要約】      （修正有）【課題】正面視略Ｖ字形の刃部を備えた刃体と、直線帯状の刃体とからなる切断手段を備えた台紙レスラベル発行装置において、刃体の進退動作に負荷とならず、且つ簡単な構造で刃体に糊や紙粉が付着するのを防止できる台紙レスラベル発行装置を提供する。【解決手段】台紙レスラベル用紙をせん断作用で切断する切断手段５として、少なくとも一方の刃体に正面視略Ｖ字形の刃体を備える台紙レスラベル発行装置において、前記切断手段に、前記正面視略Ｖ字形の刃体の少なくともＶ部最深部近傍に、台紙レスラベル用紙の粘着剤が付着しないようにオイルを塗布するオイル保持体６を備えた。【選択図】図２
2012192955.tif 000002
【特許請求の範囲】
【請求項１】
台紙レスラベル用紙をせん断作用で切断する切断手段として、少なくとも一方の刃体に正面視略Ｖ字形の刃体を備える台紙レスラベル発行装置において、
前記切断手段が、前記正面視略Ｖ字形の刃体の少なくともＶ部最深部近傍に、台紙レスラベル用紙の粘着剤が付着しないようにするオイルを塗布するオイル保持体を備えていることを特徴とする台紙レスラベル発行装置。
【請求項２】
前記オイル保持体は、前記切断手段を構成する固定刃における可動刃が摺接する側面で、且つ前記可動刃の移動領域内に取り付けられていることを特徴とする請求項１記載の台紙レスラベル発行装置。
【請求項３】
前記可動刃は、前記正面視略Ｖ字形の刃体で、前記オイル保持体は前記可動刃の刃先のうち、少なくともＶ部最深部近傍の刃先と嵌め合う形状である請求項２記載の台紙レスラベル発行装置。
【発明の詳細な説明】
【技術分野】
【０００１】
本発明は一方面が印字面、他方面が粘着層で形成された貼付面である台紙レスラベルを発行する台紙レスラベル発行装置に関する。
【背景技術】
【０００２】
従来の台紙レスラベル発行装置は、正面視略Ｖ字形の刃部を備えた刃体と、直線帯状の刃体とからなる切断手段を備え、前記略Ｖ字形の刃体と直線帯状の刃体とに間に台紙レスラベル用紙が挿通され、前記略Ｖ字形の刃体の駆動で前記台紙レスラベル用紙が切断されるようになっている（例えば、特許文献１参照）。
そして、前記特許文献１では、略Ｖ字形の刃体に非粘着性のコーティング被膜を設けることで、台紙レスラベル用紙の粘着層の糊や該ラベル用紙を切断した時生じる紙粉等の付着を防止している。しかし、コーティング処理では、十分に糊等の付着を防ぐことはできない。
【０００３】
また、回転刃を用いた切断手段では、回転刃を、シリコンオイルを含浸させたフェルトに接触させながら移動させることで、刃に糊等が付着しないようにした技術が提案されている（例えば、特許文献２参照）。
【０００４】
そこで、前記特許文献２に記載の技術を、前記正面視略Ｖ字形の刃部を備えた刃体の切断手段に適用しようした場合、次のような問題が生じて適用することができない。
（１）特許文献２では、オイルを含浸したフェルトで刃先がサンドイッチ状に挟み収容されるようになるので、一対の刃によるせん断作用が不可能となる。
（２）特許文献１での略Ｖ字形の刃体は、特許文献２の直線状のオイル含浸フェルトに対し両側のみに接するため、進退動作に余計な負荷（抵抗）が作用し、事実上略Ｖ字形の刃体を有する切断手段には利用することができず、略正面視Ｖ字形の刃体にオイルを塗布することはできない。
【先行技術文献】
【特許文献】
【０００５】
【特許文献１】特開２０００−１９０２８０号公報
【特許文献２】特許第４１３７２１０号公報
【発明の概要】
【発明が解決しようとする課題】
【０００６】
本発明は上記した従来の技術が有する問題点に鑑みてなされたもので、正面視略Ｖ字形の刃部を有する切断手段を備えた台紙レスラベル発行装置において、刃体の進退動作に負荷とならず、且つ簡単な構造で刃体に糊や紙粉が付着するのを防止できる台紙レスラベル発行装置を提供することを目的とする。
【課題を解決するための手段】
【０００７】
前記課題を達成するために本発明の台紙レスラベル発行装置は、台紙レスラベル用紙をせん断作用で切断する切断手段として、少なくとも一方の刃体に正面視略Ｖ字形（谷部）の刃体を備える台紙レスラベル発行装置において、前記切断手段が、前記正面視略Ｖ字形の刃体の少なくともＶ部最深部近傍に、台紙レスラベル用紙の粘着剤が付着しないようにするオイルを塗布するオイル保持体を備えていることを特徴とする。
前記切断手段は、せん断動作を行う２枚の刃体のうち、少なくとも１枚（一方）は正面視略Ｖ字形の刃体であればよく、従って、もう１枚（他方）の刃体は直線帯状の刃体、或いは２枚とも正面視略Ｖ字形の刃体であってもよい。
また、２枚の刃体は、一方の刃体のみが駆動する方式、或いは両方の刃体が駆動する方式の何れでもよい。
【０００８】
前記オイル保持体としては、例えば、オイルをスポンジ（例えば、連続気泡発泡体）等の弾性含浸体に含浸保持する形態、オイルを容器に収容する形態等が挙げられる。そして、前記オイル保持体から前記刃体へのオイルの塗布は、刃体（可動刃）がオイル保持体に直接接触することで塗布される直接方式、或いは刃体（可動刃）の進退動作に連係する他の部材の作用によって刃体にオイルが塗布される間接方式の何れでもよい。
又、前記オイル保持体がスポンジ等の弾性含浸体である場合、該保持体は刃体の幅と略同じ幅を有していれば、刃体の略全幅にオイルを塗布できるが、該刃体が正面視略Ｖ字形の刃体である場合、切断時に付着する糊はＶ部最深部近傍に集まる為、前記オイル保持体は前記Ｖ部最深部近傍にオイルを塗布できる幅を有して、対応箇所に配置されていればよい。
つまり、オイル保持体の形状を、正面視略Ｖ字形である可動刃の刃先のうち、少なくとも前記Ｖ部最深部近傍の刃先と嵌め合う形状をしている場合では、前記正面視略Ｖ字形の刃体（可動刃）は負荷なくオイル保持体と接することができ、糊や紙粉が集まり易いＶ部の最深部近傍がオイル保持体とが接するようになることで、該部分に糊や紙粉が付着するのを防ぐことができる。また、オイル保持体を正面視略Ｖ字形の刃先のＶ部最深部近傍だけでなく、正面視略Ｖ字形の刃先の全てに亘って接する形状にすることで、刃体全体に亘って糊や紙粉が付着するのを防ぐことができる。つまり、刃先にオイルが塗布されることで、刃体の側面にもオイルが流れ、紙粉が集まり易いＶ部の最深部近傍の側面にオイルを塗布することができる。
【０００９】
前記オイル保持体は、前記切断手段が一方の刃体のみが駆動する方式である場合、固定刃における可動刃が摺接する側面で、且つ前記可動刃の移動領域内に取り付ける。それにより、可動刃が進行してラベル用紙を切断した後、進行の最終段階で、可動刃の刃先がオイル保持体に触れ、該可動刃の刃体にオイルが塗布される。
また、固定刃における可動刃が摺接する面にオイル保持体が位置しているので、可動刃の刃先がオイル保持体に対して押し付けるように作用することでオイルがオイル保持体から染み出てくるが、その染み出たオイルは固定刃の可動刃が摺動する面にも付着するようになる。したがって、可動刃のみならず、固定刃の可動刃と接する面にもオイルが着くようになるので、固定刃、可動刃共に糊や紙粉が付着するのを防ぐことができる。
【００１０】
また、このように可動刃を正面視略Ｖ字形の刃部を有する刃体にすることで、台紙レスラベル用紙は幅方向両側方から中央に向かって切断されるようになるので、該可動刃の移動距離を少なくすることができる。それにより、切断手段をコンパクトなユニットにすることができる。
【発明の効果】
【００１１】
本発明の台紙レスラベル発行装置は、刃体の進退動作によって正面視略Ｖ字形の刃先のＶ部最深部近傍に確実にオイルが塗布されるので、糊や紙粉が付着し易い正面視略Ｖ字形の刃先のＶ部最深部近傍にそれらが付着するのを防ぐことができる。
また、オイル保持体を固定刃に取り付けたことにより、オイル保持体を安定して取り付けることができ、可動刃の進退動作で該可動刃のみならず、固定刃の可動刃と接する面にも確実にオイルを塗布することができ、固定刃、可動刃共に糊や紙粉が付着するのを防ぐことができる。
【図面の簡単な説明】
【００１２】
【図１】本発明に係る台紙レスラベル発行装置の概略を示す側面図。
【図２】切断手段の拡大図で、（ａ）は正面図、（ｂ）は同縦断側面図。
【図３】切断手段に取り付けられるオイル保持体の変形例を示す正面図。
【図４】切断手段及びオイル保持体の他の例を示し、（ａ）は正面図、（ｂ）は同縦断側面図。
【発明を実施するための形態】
【００１３】
以下、本発明に係る台紙レスラベル発行装置の実施の形態の一例を図面に基づき説明する。
図１は台紙レスラベル発行装置Ａの概略を示し、ケース１内にロール装填部２が設けられ、そのロール装填部２にセットされる台紙レスラベルロールのラベル用紙の繰り出し方向前方位置に、ラベル用紙の送出手段３と、印字部４と、印字された台紙レスラベル用紙を所定長さに切断する切断手段５が配置され、該切断手段５にはオイル保持体６が設けられ、更に前記切断手段５より前方には切断送出された台紙レスラベルＬを一時的に保持するラベル保持部７が設けられている。そして、前記ロール装填部２には台紙レスラベルロール８が回転可能に支持されている。
【００１４】
台紙レスラベルロール８からラベル用紙８’を送出する送出手段３は、ケース１の周壁に開設したラベル送出口９の上流側近傍に配置した上下一対のローラからなる下流側の用紙送出手段３ｂと、その用紙送出手段３ｂより上流側に所定間隔をおいて配置した印字部４を兼ねた上流側の用紙送出手段３ａとからなる。
【００１５】
印字部４を兼ねた上流側の用紙送出手段３ａは、ラベル用紙８’の下方（貼付面側）に位置するプラテンローラ４ａと、ラベル用紙８’の上方（印字面側）に位置するサーマルヘッド４ｂとで構成され、前記プラテンローラ４ａと下流側の用紙送出手段３ｂにおける下側のローラはモータによって駆動回転するように構成されている。そして、ラベル用紙８’の上方に位置するサーマルヘッド４ｂと下流側の用紙送出手段３ｂにおける上側のローラはそれぞれラベル用紙８’を下側のローラ（用紙送出手段３ｂにおける下側のローラ、プラテンローラ４ａ）とで挾着するように下方に付勢され、それにより前記ラベル用紙８’を安定して送出し得るように構成されている。
【００１６】
また、前記印字部４のプラテンローラ４ａと下流側の用紙送出手段３ｂにおける下側のローラは、それぞれの表面に剥離剤がコーティングされており、ラベル用紙８’の印字面とは反対側面に塗着されている粘着剤が付着しないようにしてあり、それによってラベル用紙８’の送出が円滑に行われるようになっている。尚、ラベル用紙８’の粘着層が前記ローラに付着しにくくする構成は、上記構成に限らず、前記ローラ自体又はローラの最外周部分を易剥離性の部材で構成してもよい。
【００１７】
前記印字部４で商品情報が印字され、ラベル送出口９に向けて送出されるラベル用紙８’を所定長さの枚葉状に切断する切断手段５は、ラベル送出口９より水平状に送出されるラベル用紙８’を挟むように配置した上下一対の固定刃５ａと可動刃５ｂとで構成されている。
【００１８】
ラベル用紙８’の印字面側（上方）に配置される固定刃５ａは刃先が同一幅で直線状に形成された帯刃で形成され、ラベル用紙８’の貼付面側（下方）に配置される可動刃５ｂは刃部が正面視略Ｖ字形に形成され、該可動刃５ｂが前記固定刃５ａに対して進退することによりラベル用紙８’がせん断作用によって切断されるようになっている。前記可動刃５ｂはモータ（図示省略）によって進退動作するように構成されている。
【００１９】
そして、前記固定刃５ａにおける可動刃５ｂが摺接する側面で、且つ前記可動刃５ｂの移動領域内に、オイル保持体６が取り付けられ、前記可動刃５ｂの進行により、該可動刃５ｂの刃先とオイル保持体６とが接触し、該可動刃５ｂの刃先にオイルが塗布され、それにより、可動刃５ｂにラベル用紙８’の粘着剤やラベル用紙８’の切断によって生じる紙粉等が付着しないようにしてある。
つまり、可動刃５ｂは、オイル保持体６に対し刃先が僅かに食い込む位置まで移動することで、オイル保持体６からオイルが染み出てきて、該染み出たオイルが可動刃５ｂの刃先に塗布される。
また、固定刃５ａにおける可動刃５ｂが摺接する面にオイル保持体６が位置しているので、前記のように、可動刃５ｂの刃先がオイル保持体に対して食い込むように作用することでオイルが、僅かにオイル保持体６から染み出てくるが、その染み出てきたオイルが固定刃５ａの可動刃５ｂが摺接する面にも付着するようになる。したがって、可動刃５ｂのみならず、固定刃５ａの刃先の側面にも糊や紙粉が付着するのを防ぐことができる。また、切断されたラベル用紙の紙粉や、糊等は固定刃５ａや可動刃５ｂに付着しなくなるよう作用し、発行されるラベルの粘着面に付着するよう作用する。
【００２０】
前記オイル保持体６は、連続気泡発泡体のスポンジ等の弾性体６ａに、人体に触れるなどしても人体に悪影響を及ぼさない食品添加物であるシリコーン１００％のオイル６ｂを含浸させたもので、前記弾性体６ａは図２（ａ）に示すように、可動刃５ｂの正面視略Ｖ字形の刃先と対応する面が略Ｖ字形の刃形状と噛み合う略Ｖ字形（山形）に形成されている。
オイル６ｂを含浸したスポンジ等の弾性体６ａを固定刃５ａに取り付ける方法は、接着剤による固定、或いは固定刃５ａに収容枠を取り付け、その収容枠内に弾性体６ａを収容する等、何れでもよい。尚、弾性体６ａを固定刃５ａに接着によって固定する場合、可動刃５ｂが弾性体６ａに進入する領域は非接着とし、弾性体６ａに可動刃５ｂがスムーズに侵入するようにする。
【００２１】
また、オイル保持体６を構成するオイル６ｂを含浸するスポンジ等の弾性体６ａは、可動刃５ｂが正面視略Ｖ字形の刃先からなる刃体である場合、せん断作用により切断されるラベル用紙８’の粘着剤は略Ｖ字形の刃先のＶ部最深部（谷部分）に寄せられる。その為、ラベル用紙８’の粘着剤は可動刃５ｂの正面視略Ｖ字形のＶ部最深部近傍に付着し易くなる為、前記オイル保持体６の弾性体６ａは可動刃５ｂの刃幅と略同幅（図２（ａ）参照）とすることなく、図３に示すように、可動刃５ｂの正面視略Ｖ字形の刃先のＶ部最深部近傍部分と対応する小幅の弾性体６ａ’としてもよい。
このように、正面視略Ｖ字形の刃部形状に合うような、オイル６ｂを含浸する弾性体６ａを備えることで、正面視略Ｖ字形の可動刃５ｂと固定刃５ａとのせん断作用により用紙を切断する場合でも、正面視略Ｖ字形の刃先のＶ部最深部近傍に確実にオイルが塗布されるので、該部に糊や紙粉が付着するのを防ぐことができる。また、可動刃５ｂの形状と、オイル６ｂを含浸する弾性体６ａとが合うので、可動刃５ｂの移動に際して負荷にならない。
また、このように可動刃５ｂの刃部を正面視略Ｖ字形にすることで、ラベル用紙８’は幅方向両側方から中央に向かって切断されるようになるので、該可動刃５ｂの移動距離を少なくすることができる。それにより、切断手段５をコンパクトなユニットにすることができる。
【００２２】
前記切断手段５で切断された台紙レスラベルＬを一時的に待機保持するラベル保持部７は、ソロバン玉状の接触部材７ａを備えた枠体７ｂが、ケース１の外側面に固定枠１０を介して設置されている。このラベル保持部７に送出された台紙レスラベルＬは、貼付手段（アプリケータ）による自動貼り、或いはオペレータによる手貼りで商品に貼付される。
【００２３】
前示実施例（図２及び図３参照）では直線帯状の刃体を固定刃５ａ、正面視略Ｖ字形の刃部を有した刃体を可動刃５ｂとし、固定刃５ａにオイル保持体６を取り付けたが、逆の形態でもよい。図４にその変形例を示す。
図４に示す切断手段１１は、ラベル用紙８’の印字面側（上方）に、可動刃１１ａとして刃部が同一幅で直線状に形成された帯刃を配置し、ラベル用紙８’の貼付面側（下方）には、固定刃１１ｂとして刃部が正面視略Ｖ字形に形成され刃体を配置し、前記可動刃１１ａが前記固定刃１１ｂに対して進退することによりラベル用紙８’がせん断作用によって切断されるようになっている。そして、前記固定刃１１ｂにおける可動刃１１ａが摺接する面（裏面）にオイル保持体１２（オイルを含浸したスポンジ等の弾性体）が接着固定されている。この場合、可動刃１１ａは帯刃であるため、オイル保持体１２の弾性体は、可動刃１１ａの刃部全域が一緒に弾性体に接触するように、可動刃１１ａの横幅と略同じ幅の矩形状に形成されている。
そして、前記構成により、正面視略Ｖ字形の固定刃１１ｂの裏面に、可動刃１１ａの摺接によってオイルが塗布され、正面視略Ｖ字形の固定刃１１ｂの裏面に糊や紙粉等が付着するのを防ぐことができる。また、オイル保持体１２がラベル用紙８’の貼付面側に配置した固定刃１１ｂに取り付けられているため、可動刃１１ａの進行（下降）によるオイル保持体１２との当接で染み出たオイルは前記可動刃１１ａの退行（上昇）で固定刃の裏面に摺接塗布されるが、塗布されたオイルは重力によって固定刃の裏面に沿って垂れ、オイル保持体１２に吸収される。従って、オイルが無駄に垂れ落ちるのを防止できる。
【００２４】
上記の如く構成した台紙レスラベル発行装置は、切断手段を構成する可動刃と固定刃によるせん断作用によってラベル用紙から所定長さの枚葉状の台紙レスラベルを切断形成することができる。そして、前記切断手段を構成する固定刃の可動刃が摺接する面で、且つ前記可動刃の移動領域内に、オイルを含浸したスポンジ等の弾性体（オイル保持体）が取り付けられているため、可動刃が固定刃との間のせん断作用でラベル用紙を切断した後の可動刃の進行によって、該可動刃の刃部はオイルが含浸されたスポンジに当接し、刃部にオイルが塗布される。さらに、可動刃がスポンジに当接することで、該スポンジに含浸されたオイルが染み出て固定刃の裏面（刃が形成された面とは反対側の面）にも付き、該固定刃の裏面と可動刃の裏面（刃が形成された面とは反対側の面）とが摺接することで、結果的に可動刃の裏面にもオイルが塗布されるようになる。それにより、ラベル用紙の切断時、ラベル用紙の粘着剤（糊）、及び切断によって生じる紙粉等が可動刃、固定刃に付着するのが防止される。
【００２５】
本発明は図示した実施の形態に限定されず、本発明の要旨を変更しない範囲で適宜変更可能である。
（１）実施の形態では、切断手段を、直線帯刃と正面視略Ｖ字形の刃体とからなり、一方の刃体を固定刃、他方の刃体を可動刃とした形態を示したがこれに限定されず、例えば、両方の刃体を可動刃とする形態、或いは上下一対の刃体を正面視略Ｖ字形の刃体で構成する形態等でもよい。
（２）実施の形態では、オイル保持体の弾性体（スポンジ）を露出状態で固定刃に接着した形態を示したがこれに限定されず、例えば、固定刃にポケット状の収納部を設け、その収納部にオイル保持体の弾性体を収容してもよい。
（３）実施の形態では、切断送出される台紙レスラベルを一時保持するラベル保持部として台紙レスラベルの貼付面側を支持する形態を示したがこれに限定されず、例えば、切断送出された台紙レスラベルを下方より空気（送風ファン）で上方に押し上げ、上方に配置した保持枠に印字面側を当接させて保持する形態等でもよいものである。
（４）実施の形態では、切断手段の刃体がオイル保持体に当接することで刃体にオイルが塗布される直接塗布の形態を示したがこれに限定されず、例えば、刃体以外の部材がオイル保持体に当たるなどしてオイルが染み出し、刃体に塗布する間接塗布の形態でもよい。
（５）実施の形態では、オイル保持体の弾性体（スポンジ）は幅大（図２、図４参照）、幅小（図３参照）とも単体構造を示したがこれに限定されず、小さなブロック状の弾性体を複数個並列配置する構成としてもよい。
【符号の説明】
【００２６】
Ａ…台紙レスラベル発行装置        ５、１１…切断手段
５ａ、１１ｂ…固定刃                    ５ｂ、１１ａ…可動刃
６、１２…オイル保持体              ６ａ、６ａ’…弾性体（スポンジ）
６ｂ…オイル
【図１】
2012192955.tif 000003
【図２】
2012192955.tif 000004
【図３】
2012192955.tif 000005
【図４】
2012192955.tif 000006